(57)【要約】  インクジェット記録装置は、搬送部と、記録部と、離間部と、検出部を備える。搬送部は、長尺状の記録媒体を、記録媒体の長手方向に沿った搬送方向に連続的に搬送する。記録部は、ライン型のインクジェットヘッドを備える。離間部は、搬送方向においてインクジェットヘッドより上流側の上流側領域と下流側の下流側領域で、搬送部によって搬送されている記録媒体を、インクジェットヘッドで複数のノズルが形成された吐出面とのギャップが大きくなる離間方向に移動する。離間部は、検出部によって記録媒体の繋ぎ目又は基準ギャップより狭くなる記録媒体の部分が検出された場合、搬送部によって搬送されている記録媒体を離間方向に移動する。
2014156886.tif 000002
【特許請求の範囲】
【請求項１】
長尺状の記録媒体を、前記記録媒体の長手方向に沿った搬送方向に連続的に搬送する搬送部と、
前記搬送部によって搬送されている前記記録媒体の記録面にインクを吐出する複数のノズルが形成されたライン型のインクジェットヘッドを備える記録部と、
前記搬送方向において前記インクジェットヘッドより上流側の上流側領域と前記インクジェットヘッドより下流側の下流側領域とで、前記搬送部によって搬送されている前記記録媒体を、前記インクジェットヘッドで前記複数のノズルが形成された吐出面とのギャップが大きくなる離間方向に移動する離間部と、
前記上流側領域に設けられ、前記搬送部によって前記記録媒体が搬送されている搬送状態で前記搬送方向の下流側に位置する前記記録媒体を形成する第一部材の上流側の端部と、前記搬送状態で前記搬送方向の上流側に位置する前記記録媒体を形成する第二部材の下流側の端部と、を繋ぎ合わせた前記記録媒体の繋ぎ目を検出する検出部と、を備え、
前記離間部は、前記検出部によって前記繋ぎ目が検出された場合、前記搬送部によって搬送されている前記記録媒体を前記離間方向に移動する、インクジェット記録装置。
【請求項２】
前記離間部は、
前記搬送部によって前記上流側領域を搬送されている前記記録媒体に接した状態で前記搬送方向に対応した方向に従動して回転する上流側ローラと、
前記離間方向に前記上流側ローラを移動する上流側移動部と、
前記搬送部によって前記下流側領域を搬送されている前記記録媒体に接した状態で前記搬送方向に対応した方向に従動して回転する下流側ローラと、
前記離間方向に前記下流側ローラを移動する下流側移動部と、を備える、請求項１に記載のインクジェット記録装置。
【請求項３】
前記搬送部によって搬送されている前記記録媒体を、前記記録媒体の記録面とは反対側の面の側から支持する支持部を備え、
前記支持部は、
前記記録媒体の記録面とは反対側の面で前記搬送部によって搬送されている前記記録媒体に接した状態で前記搬送方向に対応した方向に従動して回転する支持ローラと、
前記上流側移動部による前記上流側ローラの前記離間方向への移動と、前記下流側移動部による前記下流側ローラの前記離間方向への移動と、に対応して、前記支持ローラを前記離間方向に移動する支持移動部と、を備える、請求項２に記載のインクジェット記録装置。
【請求項４】
前記搬送部は、
前記記録媒体としての第一記録媒体を、前記搬送方向に搬送する第一搬送部と、
前記記録媒体としての第二記録媒体を、前記第一記録媒体の短手方向に前記第一記録媒体と並んだ状態で、前記搬送方向に搬送する第二搬送部と、を備え、
前記記録部は、
前記第一搬送部によって搬送されている前記第一記録媒体の記録面にインクを吐出する前記複数のノズルのうちの第一ノズルが形成されたライン型の第一インクジェットヘッドと、
前記第二搬送部によって搬送されている前記第二記録媒体の記録面にインクを吐出する前記複数のノズルのうちの第二ノズルが形成されたライン型の第二インクジェットヘッドと、を備え、
前記離間部は、
前記上流側領域と前記下流側領域とで、前記第一搬送部によって搬送されている前記第一記録媒体を、前記離間方向に移動する第一離間部と、
前記上流側領域と前記下流側領域とで、前記第二搬送部によって搬送されている前記第二記録媒体を、前記離間方向に移動する第二離間部と、を備え、
前記検出部は、
前記第一搬送部によって搬送されている前記第一記録媒体に対応して前記上流側領域に設けられ、前記第一記録媒体における前記繋ぎ目としての第一繋ぎ目を検出する第一検出部と、
前記第二搬送部によって搬送されている前記第二記録媒体に対応して前記上流側領域に設けられ、前記第二記録媒体における前記繋ぎ目としての第二繋ぎ目を検出する第二検出部と、を備え、
前記第一離間部は、前記第一検出部によって前記第一繋ぎ目が検出された場合、前記第一搬送部によって搬送されている前記第一記録媒体を前記離間方向に移動し、
前記第二離間部は、前記第二検出部によって前記第二繋ぎ目が検出された場合、前記第二搬送部によって搬送されている前記第二記録媒体を前記離間方向に移動する、請求項１に記載のインクジェット記録装置。
【請求項５】
前記第一離間部は、
前記第一搬送部によって前記上流側領域を搬送されている前記第一記録媒体に接した状態で前記搬送方向に対応した方向に従動して回転する第一ローラと、
前記離間方向に前記第一ローラを移動する第一移動部と、
前記第一搬送部によって前記下流側領域を搬送されている前記第一記録媒体に接した状態で前記搬送方向に対応した方向に従動して回転する第二ローラと、
前記離間方向に前記第二ローラを移動する第二移動部と、を備え、
前記第二離間部は、
前記第二搬送部によって前記上流側領域を搬送されている前記第二記録媒体に接した状態で前記搬送方向に対応した方向に従動して回転する第三ローラと、
前記離間方向に前記第三ローラを移動する第三移動部と、
前記第二搬送部によって前記下流側領域を搬送されている前記第二記録媒体に接した状態で前記搬送方向に対応した方向に従動して回転する第四ローラと、
前記離間方向に前記第四ローラを移動する第四移動部と、を備える、請求項４に記載のインクジェット記録装置。
【請求項６】
前記第一搬送部によって搬送されている前記第一記録媒体を、前記第一記録媒体の記録面とは反対側の面の側から支持する第一支持部と、
前記第二搬送部によって搬送されている前記第二記録媒体を、前記第二記録媒体の記録面とは反対側の面の側から支持する第二支持部と、を備え、
前記第一支持部は、
前記第一記録媒体の記録面とは反対側の面で前記第一搬送部によって搬送されている前記第一記録媒体に接した状態で前記搬送方向に対応した方向に従動して回転する第一支持ローラと、
前記第一移動部による前記第一ローラの前記離間方向への移動と、前記第二移動部による前記第二ローラの前記離間方向への移動と、に対応して、前記第一支持ローラを前記離間方向に移動する第一支持移動部と、を備え、
前記第二支持部は、
前記第二記録媒体の記録面とは反対側の面で前記第二搬送部によって搬送されている前記第二記録媒体に接した状態で前記搬送方向に対応した方向に従動して回転する第二支持ローラと、
前記第三移動部による前記第三ローラの前記離間方向への移動と、前記第四移動部による前記第四ローラの前記離間方向への移動と、に対応して、前記第二支持ローラを前記離間方向に移動する第二支持移動部と、を備える、請求項５に記載のインクジェット記録装置。
【請求項７】
長尺状の記録媒体を、前記記録媒体の長手方向に沿った搬送方向に連続的に搬送する搬送部と、
前記搬送部によって搬送されている前記記録媒体の記録面にインクを吐出する複数のノズルが形成されたライン型のインクジェットヘッドを備える記録部と、
前記搬送方向において前記インクジェットヘッドより上流側の上流側領域と前記インクジェットヘッドより下流側の下流側領域とで、前記搬送部によって搬送されている前記記録媒体を、前記インクジェットヘッドで前記複数のノズルが形成された吐出面とのギャップが大きくなる離間方向に移動する離間部と、
前記上流側領域に設けられ、前記搬送部によって搬送されている前記記録媒体において前記ギャップが予め定めた基準となる基準ギャップより狭くなる前記記録媒体の部分を検出する検出部と、を備え、
前記離間部は、前記検出部によって前記ギャップが前記基準ギャップより狭くなる前記記録媒体の部分が検出された場合、前記搬送部によって搬送されている前記記録媒体を前記離間方向に移動する、インクジェット記録装置。
【発明の詳細な説明】
【技術分野】
【０００１】
本発明は、インクジェット記録装置に関する。
【背景技術】
【０００２】
インクジェット記録装置に関する技術が提案されている。特許文献１には、インクジェット記録装置が開示されている。このインクジェット記録装置では、ノズル部の直ぐ上下に、規制ローラが配設される。規制ローラの周面は、ノズル部の先端面から所定距離だけ突出する。規制ローラには、複数の搬送ベルトが張架される。このインクジェット記録装置によれば、複数の搬送ベルトとノズル部の距離が一定に維持される。これにより、搬送される記録用紙とノズルとの距離が一定となり、印字品質を向上することができる、とされている。特許文献１には、次のことが開示されている。即ち、印字中は、所要の間隔で記録用紙の印字ユニットへの給送が一旦停止される。そして、複数の搬送ベルトが一旦ヘッド部の間から退避される。更に、空吐出が行われる。空吐出では、全ノズルから吐出回復部に向けてインクが吐出される。これによって、印字中に使用されないか又は使用頻度の低いノズルの目詰まりを防止するようにしている。
【先行技術文献】
【特許文献】
【０００３】
【特許文献１】特開平７−３１４８２２号公報
【発明の概要】
【発明が解決しようとする課題】
【０００４】
記録部がライン型のインクジェットヘッドを備えるインクジェット記録装置がある。このようなインクジェット記録装置によって、長尺状の記録媒体に画像を記録し、記録媒体を模様付けする場合がある。長尺状の記録媒体は、この記録媒体を形成する第一部材と第二部材の長手方向の端部同士を所定の方法で繋ぎ合わせて形成される場合がある。インクジェット記録装置では、繋ぎ目を含む長尺状の記録媒体が、連続的に搬送される。記録媒体における繋ぎ目の部分は、繋ぎ目を除く長尺状の記録媒体の部分と比較すると、厚みが厚くなることがある。これは、第一部材と第二部材の各端部同士の重なり、又は、繋ぎ合わせに用いた締結材等に起因する。そのため、厚みが厚くなることのある繋ぎ目を含む長尺状の記録媒体を搬送させる場合、吐出面に、繋ぎ目が接触することとならないようにする必要がある。吐出面は、インクジェットヘッドにおいてインクを吐出するノズルが形成された面である。繋ぎ目と吐出面の接触を防止するため、吐出面と記録媒体のギャップを、繋ぎ目の厚みを基準とした距離とするといった対策が考えられる。但し、このような対策では、繋ぎ目を除く長尺状の記録媒体の部分において、前述したギャップが広くなる。その結果、画像の記録を好適な品質で行うことができなくなることもある。長尺状の記録媒体において、一部の厚みが厚くなる場合としては、繋ぎ目の他、次のようなものも想定される。例えば、記録媒体の捩れ、異物の付着又は記録面の毛羽立ち等が想定される。【０００５】
本発明は、繋ぎ目のような厚みの厚い部分を一部に含む記録媒体であっても、繋ぎ目のような厚みの厚い一部の部分がライン型のインクジェットヘッドでノズルが形成された吐出面に接触することを抑制することができるインクジェット記録装置を提供することを目的とする。
【課題を解決するための手段】
【０００６】
本発明の一側面は、長尺状の記録媒体を、前記記録媒体の長手方向に沿った搬送方向に連続的に搬送する搬送部と、前記搬送部によって搬送されている前記記録媒体の記録面にインクを吐出する複数のノズルが形成されたライン型のインクジェットヘッドを備える記録部と、前記搬送方向において前記インクジェットヘッドより上流側の上流側領域と前記インクジェットヘッドより下流側の下流側領域とで、前記搬送部によって搬送されている前記記録媒体を、前記インクジェットヘッドで前記複数のノズルが形成された吐出面とのギャップが大きくなる離間方向に移動する離間部と、前記上流側領域に設けられ、前記搬送部によって前記記録媒体が搬送されている搬送状態で前記搬送方向の下流側に位置する前記記録媒体を形成する第一部材の上流側の端部と、前記搬送状態で前記搬送方向の上流側に位置する前記記録媒体を形成する第二部材の下流側の端部と、を繋ぎ合わせた前記記録媒体の繋ぎ目を検出する検出部と、を備え、前記離間部は、前記検出部によって前記繋ぎ目が検出された場合、前記搬送部によって搬送されている前記記録媒体を前記離間方向に移動する、インクジェット記録装置である。【０００７】
このインクジェット記録装置によれば、繋ぎ目の検出に応じて、記録媒体を吐出面から離間させることができる。上流側領域と下流側領域で記録媒体を離間方向に移動させる。そのため、記録媒体において吐出面に対向する部分を離間方向に移動させることができる。「繋ぎ目を検出する検出部」は、広く解釈される。例えば、「繋ぎ目を検出する検出部」は、繋ぎ目を直接検出する場合の他、記録媒体の厚みの変化等に基づき、第一部材と第二部材が繋がれた記録媒体の部分を繋ぎ目として検出する場合も含む。【０００８】
このインクジェット記録装置は、次のようにしてもよい。前記離間部は、前記搬送部によって前記上流側領域を搬送されている前記記録媒体に接した状態で前記搬送方向に対応した方向に従動して回転する上流側ローラと、前記離間方向に前記上流側ローラを移動する上流側移動部と、前記搬送部によって前記下流側領域を搬送されている前記記録媒体に接した状態で前記搬送方向に対応した方向に従動して回転する下流側ローラと、前記離間方向に前記下流側ローラを移動する下流側移動部と、を備える、ようにしてもよい。これによれば、記録媒体を吐出面から離間させつつ、搬送部で記録媒体を搬送方向にスムーズに搬送することができる。【０００９】
このインクジェット記録装置は、前記搬送部によって搬送されている前記記録媒体を、前記記録媒体の記録面とは反対側の面の側から支持する支持部を備え、前記支持部は、前記記録媒体の記録面とは反対側の面で前記搬送部によって搬送されている前記記録媒体に接した状態で前記搬送方向に対応した方向に従動して回転する支持ローラと、前記上流側移動部による前記上流側ローラの前記離間方向への移動と、前記下流側移動部による前記下流側ローラの前記離間方向への移動と、に対応して、前記支持ローラを前記離間方向に移動する支持移動部と、を備える、ようにしてもよい。これによれば、記録媒体を記録面とは反対側の面から支持した状態で、記録媒体において吐出面に対向する部分を離間方向に移動させることができる。記録媒体を記録面とは反対側の面から支持した状態で、搬送部で記録媒体を搬送方向にスムーズに搬送することができる。【００１０】
前記搬送部は、前記記録媒体としての第一記録媒体を、前記搬送方向に搬送する第一搬送部と、前記記録媒体としての第二記録媒体を、前記第一記録媒体の短手方向に前記第一記録媒体と並んだ状態で、前記搬送方向に搬送する第二搬送部と、を備え、前記記録部は、前記第一搬送部によって搬送されている前記第一記録媒体の記録面にインクを吐出する前記複数のノズルのうちの第一ノズルが形成されたライン型の第一インクジェットヘッドと、前記第二搬送部によって搬送されている前記第二記録媒体の記録面にインクを吐出する前記複数のノズルのうちの第二ノズルが形成されたライン型の第二インクジェットヘッドと、を備え、前記離間部は、前記上流側領域と前記下流側領域とで、前記第一搬送部によって搬送されている前記第一記録媒体を、前記離間方向に移動する第一離間部と、前記上流側領域と前記下流側領域とで、前記第二搬送部によって搬送されている前記第二記録媒体を、前記離間方向に移動する第二離間部と、を備え、前記検出部は、前記第一搬送部によって搬送されている前記第一記録媒体に対応して前記上流側領域に設けられ、前記第一記録媒体における前記繋ぎ目としての第一繋ぎ目を検出する第一検出部と、前記第二搬送部によって搬送されている前記第二記録媒体に対応して前記上流側領域に設けられ、前記第二記録媒体における前記繋ぎ目としての第二繋ぎ目を検出する第二検出部と、を備え、前記第一離間部は、前記第一検出部によって前記第一繋ぎ目が検出された場合、前記第一搬送部によって搬送されている前記第一記録媒体を前記離間方向に移動し、前記第二離間部は、前記第二検出部によって前記第二繋ぎ目が検出された場合、前記第二搬送部によって搬送されている前記第二記録媒体を前記離間方向に移動する、ようにしてもよい。【００１１】
これによれば、第一繋ぎ目の検出に応じて、第一記録媒体を第一インクジェットヘッドの吐出面から離間させることができる。第二繋ぎ目の検出に応じて、第二記録媒体を第二インクジェットヘッドの吐出面から離間させることができる。第一離間部による離間動作と、第二離間部による離間動作を独立して行うことができる。第一記録媒体を搬送しつつこれに画像を記録すると共に、第二記録媒体を搬送しつつこれに画像を記録することができる。画像の記録を効率よく行うことができる。第一記録媒体への画像の記録に関する制御と、第二記録媒体への画像の記録に関する制御を独立して行うことができる。第一記録媒体への画像の記録に関する制御と、第一離間部による離間動作を対応させることができる。第二記録媒体への画像の記録に関する制御と、第二離間部による離間動作を対応させることができる。第一記録媒体と第二記録媒体は、それぞれ異なる記録媒体であってもよく、又は、単一の記録媒体であってもよい。単一の記録媒体である場合、第一記録媒体は、例えば、表面が記録面となる状態で搬送される記録媒体の部分であり、第二記録媒体は、裏面が記録面となる状態で搬送される記録媒体の部分である。【００１２】
前記第一離間部は、前記第一搬送部によって前記上流側領域を搬送されている前記第一記録媒体に接した状態で前記搬送方向に対応した方向に従動して回転する第一ローラと、前記離間方向に前記第一ローラを移動する第一移動部と、前記第一搬送部によって前記下流側領域を搬送されている前記第一記録媒体に接した状態で前記搬送方向に対応した方向に従動して回転する第二ローラと、前記離間方向に前記第二ローラを移動する第二移動部と、を備え、前記第二離間部は、前記第二搬送部によって前記上流側領域を搬送されている前記第二記録媒体に接した状態で前記搬送方向に対応した方向に従動して回転する第三ローラと、前記離間方向に前記第三ローラを移動する第三移動部と、前記第二搬送部によって前記下流側領域を搬送されている前記第二記録媒体に接した状態で前記搬送方向に対応した方向に従動して回転する第四ローラと、前記離間方向に前記第四ローラを移動する第四移動部と、を備える、ようにしてもよい。これによれば、第一記録媒体を第一インクジェットヘッドの吐出面から離間させつつ、第一搬送部で第一記録媒体を搬送方向にスムーズに搬送することができる。第二記録媒体を第二インクジェットヘッドの吐出面から離間させつつ、第二搬送部で第二記録媒体を搬送方向にスムーズに搬送することができる。【００１３】
このインクジェット記録装置は、前記第一搬送部によって搬送されている前記第一記録媒体を、前記第一記録媒体の記録面とは反対側の面の側から支持する第一支持部と、前記第二搬送部によって搬送されている前記第二記録媒体を、前記第二記録媒体の記録面とは反対側の面の側から支持する第二支持部と、を備え、前記第一支持部は、前記第一記録媒体の記録面とは反対側の面で前記第一搬送部によって搬送されている前記第一記録媒体に接した状態で前記搬送方向に対応した方向に従動して回転する第一支持ローラと、前記第一移動部による前記第一ローラの前記離間方向への移動と、前記第二移動部による前記第二ローラの前記離間方向への移動と、に対応して、前記第一支持ローラを前記離間方向に移動する第一支持移動部と、を備え、前記第二支持部は、前記第二記録媒体の記録面とは反対側の面で前記第二搬送部によって搬送されている前記第二記録媒体に接した状態で前記搬送方向に対応した方向に従動して回転する第二支持ローラと、前記第三移動部による前記第三ローラの前記離間方向への移動と、前記第四移動部による前記第四ローラの前記離間方向への移動と、に対応して、前記第二支持ローラを前記離間方向に移動する第二支持移動部と、を備える、ようにしてもよい。【００１４】
これによれば、第一記録媒体を記録面とは反対側の面から支持した状態で、第一記録媒体において吐出面に対向する部分を離間方向に移動させることができる。第一記録媒体を記録面とは反対側の面から支持した状態で、第一搬送部で第一記録媒体を搬送方向にスムーズに搬送することができる。第二記録媒体を記録面とは反対側の面から支持した状態で、第二記録媒体において吐出面に対向する部分を離間方向に移動させることができる。第二記録媒体を記録面とは反対側の面から支持した状態で、第二搬送部で第二記録媒体を搬送方向にスムーズに搬送することができる。【００１５】
本発明の他の側面は、長尺状の記録媒体を、前記記録媒体の長手方向に沿った搬送方向に連続的に搬送する搬送部と、前記搬送部によって搬送されている前記記録媒体の記録面にインクを吐出する複数のノズルが形成されたライン型のインクジェットヘッドを備える記録部と、前記搬送方向において前記インクジェットヘッドより上流側の上流側領域と前記インクジェットヘッドより下流側の下流側領域とで、前記搬送部によって搬送されている前記記録媒体を、前記インクジェットヘッドで前記複数のノズルが形成された吐出面とのギャップが大きくなる離間方向に移動する離間部と、前記上流側領域に設けられ、前記搬送部によって搬送されている前記記録媒体において前記ギャップが予め定めた基準となる基準ギャップより狭くなる前記記録媒体の部分を検出する検出部と、を備え、前記離間部は、前記検出部によって前記ギャップが前記基準ギャップより狭くなる前記記録媒体の部分が検出された場合、前記搬送部によって搬送されている前記記録媒体を前記離間方向に移動する、インクジェット記録装置である。【００１６】
このインクジェット記録装置によれば、基準ギャップより狭くなる記録媒体の部分の検出に応じて、記録媒体を吐出面から離間させることができる。上流側領域と下流側領域で記録媒体を離間方向に移動させる。そのため、記録媒体において吐出面に対向する部分を離間方向に移動させることができる。
【発明の効果】
【００１７】
本発明によれば、繋ぎ目のような厚みの厚い部分を一部に含む記録媒体であっても、繋ぎ目のような厚みの厚い一部の部分がライン型のインクジェットヘッドでノズルが形成された吐出面に接触することを抑制することができるインクジェット記録装置を得ることができる。
【図面の簡単な説明】
【００１８】
【図１】インクジェット記録装置の一例を示す平面図である。
【図２】図１に示すＹ方向矢視図であって、インクジェット記録装置の一例を示す正面図である。
【図３】長尺状の記録媒体における繋ぎ目の一例を示す斜視図である。
【図４】第一インクジェットヘッドと第二インクジェットヘッドをノズルが形成された吐出面の側から視た図であり、第一インクジェットヘッドと第一記録媒体の位置関係と、第二インクジェットヘッドと第二記録媒体の位置関係の一例を示す図である。
【図５】図２に示す状態から記録媒体を吐出面から離間させた状態のインクジェット記録装置を示す正面図である。
【図６】図１に示すＹ方向矢視図に対応し、インクジェット記録装置の他の例を示す正面図である。
【図７】図６に示す状態から記録媒体を吐出面から離間させた状態のインクジェット記録装置を示す正面図である。
【発明を実施するための形態】
【００１９】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００２０】
＜インクジェット記録装置＞
インクジェット記録装置１０について、図１〜図５を参照して説明する。図２及び図５と後述する図６及び図７において、インクジェット記録装置１０が備える各ローラの内部に示す円弧状の矢印は、各ローラの回転方向を示す。インクジェット記録装置１０では、長尺状の記録媒体１２が搬送され、記録媒体１２の記録面１４に画像が記録される。本実施形態では、画像の記録に用いられるインク色は、イエロー、マゼンタ、シアン及びブラックの４色とする。インク色は、これら以外の色及び色数であってもよい。インクジェット記録装置１０は、図１及び図２に示すように、搬送部２０と、記録部６０と、離間部８０と、制御装置１１０を備える。
【００２１】
搬送部２０は、記録媒体１２を搬送方向に連続的に搬送する。搬送方向は、記録媒体１２の長手方向に沿った方向である。搬送部２０は、第一搬送部２１と、第二搬送部２２を備える。第一搬送部２１は、記録媒体１２としての第一記録媒体１２Ａを搬送方向に搬送する。第一記録媒体１２Ａは、第一搬送部２１によって搬送され、記録部６０を通過する。第二搬送部２２は、記録媒体１２としての第二記録媒体１２Ｂを搬送方向に搬送する。第二記録媒体１２Ｂは、第二搬送部２２によって搬送され、記録部６０を通過する。インクジェット記録装置１０では、第一搬送部２１と第二搬送部２２は、記録媒体１２の短手方向に並んで設けられる（図１参照）。記録媒体１２の短手方向は、記録媒体１２の幅方向である。そのため、第一記録媒体１２Ａと第二記録媒体１２Ｂは、短手方向に並んだ状態で搬送方向に搬送される。
【００２２】
記録媒体１２としては、例えば、布帛が挙げられる。記録媒体１２が布帛によって形成される場合、長尺状の記録媒体１２は、所定の長さの布帛を複数繋ぎ合わせて形成される。具体的には、長尺状の記録媒体１２は、第一布帛における長手方向の第一端部と、第二布帛における長手方向の第二端部を、所定の方法で繋ぎ合わせて形成される。第一布帛と第二布帛は、それぞれ所定の長さの布帛である。布帛を繋ぎ合わせる方法としては、例えば、縫製、粘着テープ又はホッチキスを利用した方法が挙げられる。図３に示す記録媒体１２は、２枚の布帛を重ね２箇所で縫製して繋ぎ合わせたものである。本実施形態では、布帛のような記録媒体１２を形成する部材を繋ぎ合わせた部分を、「繋ぎ目１６」という。第一記録媒体１２Ａと第二記録媒体１２Ｂのそれぞれにおける「繋ぎ目１６」を区別する場合、「第一繋ぎ目１６Ａ」又は「第二繋ぎ目１６Ｂ」という。第一繋ぎ目１６Ａは、第一記録媒体１２Ａの繋ぎ目１６である。第二繋ぎ目１６Ｂは、第二記録媒体１２Ｂの繋ぎ目１６である。
【００２３】
第一記録媒体１２Ａと第二記録媒体１２Ｂに関し、記録媒体１２が単一の記録媒体であるとする。第一記録媒体１２Ａは、記録媒体１２の表面１４Ａ及び裏面１４Ｂのうち、表面１４Ａが記録面１４として吐出面７０に対向した状態で搬送される記録媒体１２の部分である（図１、図２及び図５と後述する図６及び図７参照）。第一記録媒体１２Ａでは、インクは表面１４Ａに着弾し、表面１４Ａに画像が記録される。第二記録媒体１２Ｂは、記録媒体１２の表面１４Ａ及び裏面１４Ｂのうち、裏面１４Ｂが記録面１４として吐出面７０に対向した状態で搬送される記録媒体１２の部分である（図１参照）。第二記録媒体１２Ｂでは、インクは裏面１４Ｂに着弾し、裏面１４Ｂに画像が記録される。第一記録媒体１２Ａと第二記録媒体１２Ｂは、それぞれ別個の記録媒体１２であってもよい。この場合、第一記録媒体１２Ａは、例えば、表面１４Ａが記録面１４として吐出面７０に対向した状態で搬送される（図１、図２及び図５と後述する図６及び図７参照）。インクは表面１４Ａに着弾し、表面１４Ａに画像が記録される。第二記録媒体１２Ｂは、例えば、表面１４Ａが記録面１４として吐出面７０に対向した状態で搬送される（不図示）。インクは表面１４Ａに着弾し、表面１４Ａに画像が記録される。吐出面７０は、記録部６０が備える第一インクジェットヘッド６４と第二インクジェットヘッド６６において、インクを吐出するノズル６８が形成された面である（図４参照）。本実施形態では、第一記録媒体１２Ａと第二記録媒体１２Ｂを区別せず、又は、これらを総称する場合、「記録媒体１２」という。
【００２４】
第一搬送部２１と第二搬送部２２は、同様の搬送部である。そのため、第一搬送部２１と第二搬送部２２は、同様の構成を備える。第一搬送部２１と第二搬送部２２は、共に、第五ローラ３０と、第六ローラ３２と、第七ローラ３４と、第八ローラ３６と、第九ローラ３８と、第一回転軸４０と、第二回転軸４２と、第三回転軸４４と、第一モータ５０と、第二モータ５２と、第三モータ５４を備える。第一搬送部２１と第二搬送部２２において、第五ローラ３０は、図１に示すように、第一回転軸４０に固定される。第五ローラ３０は、記録面１４とは反対側の面に接する。記録面１４が表面１４Ａである場合、「記録面１４とは反対側の面」は裏面１４Ｂである。記録面１４が裏面１４Ｂである場合、「記録面１４とは反対側の面」は表面１４Ａである。第一回転軸４０は、第一モータ５０に連結される。第一モータ５０は、第一回転軸４０を搬送方向に対応した方向に回転させる。これによって、第一搬送部２１と第二搬送部２２では、第五ローラ３０は、搬送方向に対応した方向に回転する。
【００２５】
第一搬送部２１と第二搬送部２２において、第六ローラ３２は、図１及び図２に示すように、第五ローラ３０の上側で第五ローラ３０の周側面に対向して設けられる。第六ローラ３２は、記録面１４に接する。第六ローラ３２は、不図示の付勢部によって、第五ローラ３０の側に付勢される。付勢される方向は、図２に基づけば、鉛直方向の下側である。付勢された第六ローラ３２は、記録媒体１２を第五ローラ３０の周側面に押圧する。第六ローラ３２は、所定の回転軸に固定される。第六ローラ３２は、記録面１４に接した状態で、搬送方向に対応した方向に従動して回転する。
【００２６】
第一搬送部２１と第二搬送部２２において、第七ローラ３４は、図１に示すように、第二回転軸４２に固定される。第七ローラ３４は、記録面１４とは反対側の面に接する。記録面１４とは反対側の面は、上述した通りである。第二回転軸４２は、第二モータ５２に連結される。第二モータ５２は、第二回転軸４２を搬送方向に対応した方向に回転させる。第二モータ５２は、記録媒体１２を搬送方向に搬送するための駆動源となるモータである。第二モータ５２としては、例えば、サーボモータのような回転を精度よく制御することができるモータが採用される。第一搬送部２１と第二搬送部２２では、第七ローラ３４は、第二モータ５２によって回転が制御された状態で、搬送方向に対応した方向に回転する。
【００２７】
第一搬送部２１と第二搬送部２２において、第八ローラ３６は、図１に示すように、第三回転軸４４に固定される。第八ローラ３６は、記録面１４とは反対側の面に接する。記録面１４とは反対側の面は、上述した通りである。第三回転軸４４は、第三モータ５４に連結される。第三モータ５４は、第三回転軸４４を搬送方向に対応した方向に回転させる。これによって、第一搬送部２１と第二搬送部２２では、第八ローラ３６は、搬送方向に対応した方向に回転する。第九ローラ３８は、ダンサローラと称されるローラである。第一搬送部２１と第二搬送部２２において、第九ローラ３８は、不図示の付勢部によってそれぞれ付勢される。例えば、第九ローラ３８は、鉛直方向の下側にそれぞれ付勢される（図２参照）。第九ローラ３８を付勢する付勢部としては、例えば、バネ、錘又はアクチュエータが挙げられる。アクチュエータとしては、例えば、エアシリンダが挙げられる。第九ローラ３８は、所定の回転軸に固定される。第九ローラ３８は、記録面１４に接した状態で、搬送方向に対応した方向に従動して回転する。
【００２８】
このように第一搬送部２１と第二搬送部２２は、第五ローラ３０、第一回転軸４０及び第一モータ５０と、第七ローラ３４、第二回転軸４２及び第二モータ５２と、第八ローラ３６、第三回転軸４４及び第三モータ５４と、第六ローラ３２と、第九ローラ３８をそれぞれ独自に備える。そのため、第一搬送部２１での搬送速度と、第二搬送部２２での搬送速度を、個別に設定することができる。例えば、第一搬送部２１と第二搬送部２２での各搬送速度は、第一搬送部２１で搬送される第一記録媒体１２Ａと、第二搬送部２２で搬送される第二記録媒体１２Ｂの各記録媒体１２の収縮の状態等を考慮して設定される。第一搬送部２１と第二搬送部２２では、前述した点等を考慮して、それぞれで適切な搬送速度を設定することができる。
【００２９】
第一搬送部２１と第二搬送部２２で、第一回転軸４０と、第二回転軸４２と、第三回転軸４４と、第一モータ５０と、第二モータ５２と、第三モータ５４を共用するようにしてもよい。この場合、第一搬送部２１の第五ローラ３０と第二搬送部２２の第五ローラ３０は、例えば、図１に示す各位置で、１本の第一回転軸にそれぞれ固定される。この第一回転軸には、１台の第一モータが連結される。この第一モータは、第一回転軸を搬送方向に対応した方向に回転させる。これによって、２個の第五ローラ３０は、搬送方向に対応した方向に回転する。第一搬送部２１の第七ローラ３４と第二搬送部２２の第七ローラ３４は、例えば、図１に示す各位置で、１本の第二回転軸にそれぞれ固定される。この第二回転軸には、１台の第二モータが連結される。この第二モータは、第二回転軸を搬送方向に対応した方向に回転させる。これによって、２個の第七ローラ３４は、搬送方向に対応した方向に回転する。第一搬送部２１の第八ローラ３６と第二搬送部２２の第八ローラ３６は、例えば、図１に示す各位置で、１本の第三回転軸にそれぞれ固定される。この第三回転軸には、１台の第三モータが連結される。この第三モータは、第三回転軸を搬送方向に対応した方向に回転させる。これによって、２個の第八ローラ３６は、搬送方向に対応した方向に回転する。
【００３０】
第一搬送部２１と第二搬送部２２が上述したような構成とされたとする。即ち、２個の第五ローラ３０が共に１本の第一回転軸に固定され、この第一回転軸が１台の第一モータによって回転される。２個の第七ローラ３４が共に１本の第二回転軸に固定され、この第二回転軸が１台の第二モータで回転される。２個の第八ローラ３６が共に１本の第三回転軸に固定され、この第三回転軸が１台の第三モータで回転される。このような構成によれば、第一搬送部２１での第一記録媒体１２Ａの搬送速度と、第二搬送部２２での第二記録媒体１２Ｂの搬送速度を、等しくすることができる。部品点数の増加を抑制し、搬送部２０の構造をシンプルにすることができる。第一搬送部２１の第六ローラ３２と第二搬送部２２の第六ローラ３２についても、第五ローラ３０等と同様、１本の回転軸に固定された構成としてもよい。第一搬送部２１の第九ローラ３８と第二搬送部２２の第九ローラ３８についても、第五ローラ３０等と同様、１本の回転軸に固定された構成としてもよい。
【００３１】
第一モータ５０と第二モータ５２では、第二モータ５２の回転数は、第一モータ５０の回転数より高速とされる。即ち、記録部６０より搬送方向の下流側に設けられた第七ローラ３４は、記録部６０より搬送方向の上流側に設けられた第五ローラ３０より高速回転する。第七ローラ３４を第五ローラ３０より高速回転とすることで、第五ローラ３０と第七ローラ３４の間を搬送方向に搬送されている記録媒体１２の部分に、張力を作用させることができる。そのため、第一搬送部２１における第五ローラ３０と第七ローラ３４の間の第一記録媒体１２Ａの部分は、ぴんと張った状態となる。同様に、第二搬送部２２における第五ローラ３０と第七ローラ３４の間の第二記録媒体１２Ｂの部分は、ぴんと張った状態となる。第五ローラ３０と第七ローラ３４の間の記録媒体１２の部分は、吐出面７０に対向する記録媒体１２の部分を含む。
【００３２】
第一搬送部２１では、第三モータ５４の回転を制御し、これに伴い、第九ローラ３８の鉛直方向の位置を制御することで、第一記録媒体１２Ａが一定の力で第七ローラ３４に押圧される。これによって、第一記録媒体１２Ａと第七ローラ３４の周側面の間の滑りが抑制される。第二搬送部２２では、第三モータ５４の回転を制御し、これに伴い、第九ローラ３８の鉛直方向の位置を制御することで、第二記録媒体１２Ｂが一定の力で第七ローラ３４に押圧される。これによって、第二記録媒体１２Ｂと第七ローラ３４の周側面の間の滑りが抑制される。このようにして、第一搬送部２１では、第一記録媒体１２Ａに張力を作用させた状態で、第一記録媒体１２Ａを搬送方向に精度よく搬送することができる。第二搬送部２２では、第二記録媒体１２Ｂに張力を作用させた状態で、第二記録媒体１２Ｂを搬送方向に精度よく搬送することができる。
【００３３】
記録部６０は、第一インクジェットヘッド６４Ｙ及び第二インクジェットヘッド６６Ｙと、第一インクジェットヘッド６４Ｍ及び第二インクジェットヘッド６６Ｍと、第一インクジェットヘッド６４Ｃ及び第二インクジェットヘッド６６Ｃと、第一インクジェットヘッド６４Ｋ及び第二インクジェットヘッド６６Ｋと、キャリッジ７２を備える。第一インクジェットヘッド６４Ｙと第二インクジェットヘッド６６Ｙは、イエローインクを吐出するインクジェットヘッドである。第一インクジェットヘッド６４Ｍと第二インクジェットヘッド６６Ｍは、マゼンタインクを吐出するインクジェットヘッドである。第一インクジェットヘッド６４Ｃと第二インクジェットヘッド６６Ｃは、シアンインクを吐出するインクジェットヘッドである。第一インクジェットヘッド６４Ｋと第二インクジェットヘッド６６Ｋは、ブラックインクを吐出するインクジェットヘッドである。
【００３４】
第一インクジェットヘッド６４Ｙ，６４Ｍ，６４Ｃ，６４Ｋは、同様の構成を有する。第二インクジェットヘッド６６Ｙ，６６Ｍ，６６Ｃ，６６Ｋは、同様の構成を有する。第一インクジェットヘッド６４Ｙ，６４Ｍ，６４Ｃ，６４Ｋと、第二インクジェットヘッド６６Ｙ，６６Ｍ，６６Ｃ，６６Ｋも同様の構成とされる。本実施形態では、第一インクジェットヘッド６４Ｙ，６４Ｍ，６４Ｃ，６４Ｋを区別せず、又は、これらを総称する場合、「第一インクジェットヘッド６４」という。第二インクジェットヘッド６６Ｙ，６６Ｍ，６６Ｃ，６６Ｋを区別せず、又は、これらを総称する場合、「第二インクジェットヘッド６６」という。各色のインクは、色毎のインクタンク（不図示）に貯留される。各色のインクタンクに貯留された各色のインクは、各色のインク流路（不図示）を流れて、対応する色の第一インクジェットヘッド６４と第二インクジェットヘッド６６にそれぞれ供給される。
【００３５】
第一インクジェットヘッド６４は、第一搬送部２１によって搬送される第一記録媒体１２Ａに対応して設けられた、ライン型のインクジェットヘッドである。第二インクジェットヘッド６６は、第二搬送部２２によって搬送される第二記録媒体１２Ｂに対応して設けられた、ライン型のインクジェットヘッドである。ライン型のインクジェットヘッドである第一インクジェットヘッド６４では、搬送方向に直交する方向に各色のインクを吐出するノズル６８が配列される。例えば、第一インクジェットヘッド６４では、ノズル６８は、搬送方向に直交する方向において、第一記録媒体１２Ａの幅ＷＡ以上の範囲Ｈに形成される（図４参照）。ライン型のインクジェットヘッドである第二インクジェットヘッド６６では、搬送方向に直交する方向に各色のインクを吐出するノズル６８が配列される。例えば、第二インクジェットヘッド６６では、ノズル６８は、搬送方向に直交する方向において、第二記録媒体１２Ｂの幅ＷＢ以上の範囲Ｈに形成される（図４参照）。図４では、第一記録媒体１２Ａと第二記録媒体１２Ｂは、２点鎖線で図示されている。搬送方向に直交する方向は、記録媒体１２の短手方向に一致する。
【００３６】
キャリッジ７２には、各色用の第一インクジェットヘッド６４と第二インクジェットヘッド６６が搭載される。第一インクジェットヘッド６４Ｙ，６４Ｍ，６４Ｃ，６４Ｋは、図１及び図４に示すように、搬送方向に隣り合った状態で配列されて、キャリッジ７２に搭載される。第二インクジェットヘッド６６Ｙ，６６Ｍ，６６Ｃ，６６Ｋは、図１及び図４に示すように、搬送方向に隣り合った状態で配列されて、キャリッジ７２に搭載される。その際、同一色の第一インクジェットヘッド６４と第二インクジェットヘッド６６は、例えば、搬送方向に直交する方向に隣り合った状態で設けられる。但し、第一インクジェットヘッド６４Ｙ及び第二インクジェットヘッド６６Ｙと、第一インクジェットヘッド６４Ｍ及び第二インクジェットヘッド６６Ｍと、第一インクジェットヘッド６４Ｃ及び第二インクジェットヘッド６６Ｃと、第一インクジェットヘッド６４Ｋ及び第二インクジェットヘッド６６Ｋの配列は、図１等とは異なる順序としてもよい。これらの配列順序は、諸条件を考慮して適宜決定される。同一色の第一インクジェットヘッド６４と第二インクジェットヘッド６６は、搬送方向にずれ、合計８個の第一インクジェットヘッド６４と第二インクジェットヘッド６６が千鳥状に配置されるようにしてもよい。
【００３７】
インクジェット記録装置１０で、第一記録媒体１２Ａに画像が記録される場合、各色のインクは、第一インクジェットヘッド６４Ｙ，６４Ｍ，６４Ｃ，６４Ｋにそれぞれ形成されたノズル６８から、第一記録媒体１２Ａに向けて吐出される。第一インクジェットヘッド６４Ｙ，６４Ｍ，６４Ｃ，６４Ｋの各ノズル６８から吐出された各色のインクは、第一記録媒体１２Ａの記録面１４に着弾する。第二記録媒体１２Ｂに画像が記録される場合、各色のインクは、第二インクジェットヘッド６６Ｙ，６６Ｍ，６６Ｃ，６６Ｋにそれぞれ形成されたノズル６８から、第二記録媒体１２Ｂに向けて吐出される。第二インクジェットヘッド６６Ｙ，６６Ｍ，６６Ｃ，６６Ｋの各ノズル６８から吐出された各色のインクは、第二記録媒体１２Ｂの記録面１４に着弾する。
【００３８】
第一記録媒体１２Ａに画像が記録される場合の吐出面７０と第一記録媒体１２Ａのギャップは、諸条件を考慮して適宜設定される。第二記録媒体１２Ｂに画像が記録される場合の吐出面７０と第二記録媒体１２Ｂのギャップは、諸条件を考慮して適宜設定される。なお、前述した各ギャップは、詳細には、吐出面７０と第一記録媒体１２Ａの記録面１４の間隔、又は、吐出面７０と第二記録媒体１２Ｂの記録面１４の間隔である。例えば、前述した各ギャップは、共に同一の所定のギャップＧ５に設定される（図２参照）。ギャップＧ５は、第一インクジェットヘッド６４で第一記録媒体１２Ａに画像を記録し、第二インクジェットヘッド６６で第二記録媒体１２Ｂに画像を記録する場合の基準となるギャップである。図２及び図５と後述する図６及び図７では、第一繋ぎ目１６Ａの図示を省略している。図２及び後述する図６では、ギャップＧ５が明確となるよう、吐出面７０と第一記録媒体１２Ａの間を、第一記録媒体１２Ａの厚み等に対し広く図示している。
【００３９】
離間部８０は、第一離間部８１と、第二離間部９０を備える。第一離間部８１は、第一搬送部２１によって搬送される第一記録媒体１２Ａに対応して設けられる。第二離間部９０は、第二搬送部２２によって搬送される第二記録媒体１２Ｂに対応して設けられる。第一離間部８１は、第一上流側離間部８２と、第一下流側離間部８５を備える。第二離間部９０は、第二上流側離間部９１と、第二下流側離間部９４を備える。
【００４０】
第一上流側離間部８２は、第一記録媒体１２Ａの記録面１４の上方で且つ搬送方向における領域Ｒ１の所定の位置に設けられる。領域Ｒ１は、記録部６０において搬送方向の最上流側に設けられる第一インクジェットヘッド６４Ｙ及び第二インクジェットヘッド６６Ｙより搬送方向の上流側で、第五ローラ３０より搬送方向の下流側となる領域である（図１参照）。第一上流側離間部８２は、第一ローラ８３と、第一移動部８４を備える。第一ローラ８３は、領域Ｒ１の所定の位置で、第五ローラ３０と第七ローラ３４の間を張力が作用した状態で搬送されている第一記録媒体１２Ａに接する。詳細には、第一ローラ８３は、前述した位置で第一記録媒体１２Ａの記録面１４に接する。第一移動部８４は、第一ローラ８３を離間方向及び接近方向に移動する。第一移動部８４は、例えば、エアシリンダのようなアクチュエータによって構成される。第一ローラ８３は、第一移動部８４に回転自在に取り付けられる。例えば、第一移動部８４がエアシリンダである場合、第一ローラ８３は、伸縮するエアシリンダのロッドの先端部分に回転自在に取り付けられる。第一ローラ８３は、第一移動部８４に取り付けられ且つ第一搬送部２１によって搬送方向に搬送されている第一記録媒体１２Ａに接した状態で、搬送方向に対応した方向に従動して回転する。吐出面７０と第一記録媒体１２ＡのギャップがギャップＧ５である場合、第一上流側離間部８２は、第一ローラ８３が第一記録媒体１２Ａから離間した状態とされる（図２参照）。記録面１４を好適な状態に保つことが可能となる。
【００４１】
離間方向は、吐出面７０と記録媒体１２（第一記録媒体１２Ａ及び第二記録媒体１２Ｂ）のギャップＧ５が大きくなる方向である。換言すれば、離間方向は、記録部６０に到達して吐出面７０に対向する記録媒体１２の部分が吐出面７０から離間する方向である。図２及び図５に示す「領域Ｒ４」は、前述した吐出面７０に対向する記録媒体１２の部分に対応する。接近方向は、離間方向とは反対の方向である。本実施形態では、離間方向は、鉛直方向を下側に向かう方向であり、接近方向は、鉛直方向を上側に向かう方向である（図２及び図５参照）。
【００４２】
第一下流側離間部８５は、第一記録媒体１２Ａの記録面１４の上方で且つ搬送方向における領域Ｒ２の所定の位置に設けられる。領域Ｒ２は、記録部６０において搬送方向の最下流側に設けられる第一インクジェットヘッド６４Ｋ及び第二インクジェットヘッド６６Ｋより搬送方向の下流側で、第七ローラ３４より搬送方向の上流側となる領域である（図１参照）。第一下流側離間部８５は、第二ローラ８６と、第二移動部８７を備える。第二ローラ８６は、領域Ｒ２の所定の位置で、第五ローラ３０と第七ローラ３４の間を張力が作用した状態で搬送されている第一記録媒体１２Ａに接する。詳細には、第二ローラ８６は、前述した位置で第一記録媒体１２Ａの記録面１４に接する。第二移動部８７は、第二ローラ８６を離間方向及び接近方向に移動する。第二移動部８７は、例えば、エアシリンダのようなアクチュエータによって構成される。第二ローラ８６は、第二移動部８７に回転自在に取り付けられる。例えば、第二移動部８７がエアシリンダである場合、第二ローラ８６は、伸縮するエアシリンダのロッドの先端部分に回転自在に取り付けられる。第二ローラ８６は、第二移動部８７に取り付けられ且つ第一搬送部２１によって搬送方向に搬送されている第一記録媒体１２Ａに接した状態で、搬送方向に対応した方向に従動して回転する。吐出面７０と第一記録媒体１２ＡのギャップがギャップＧ５である場合、第一下流側離間部８５は、第二ローラ８６が第一記録媒体１２Ａから離間した状態とされる（図２参照）。記録面１４を好適な状態に保つことが可能となる。
【００４３】
第二上流側離間部９１は、第二記録媒体１２Ｂの記録面１４の上方で且つ搬送方向における領域Ｒ１の所定の位置に設けられる。本実施形態では、第二上流側離間部９１は、短手方向に第一上流側離間部８２と並んだ状態で設けられている（図１参照）。第二上流側離間部９１は、第三ローラ９２と、第三移動部９３を備える。第三ローラ９２は、領域Ｒ１の所定の位置で、第五ローラ３０と第七ローラ３４の間を張力が作用した状態で搬送されている第二記録媒体１２Ｂに接する。詳細には、第三ローラ９２は、前述した位置で第二記録媒体１２Ｂの記録面１４に接する。第三移動部９３は、第三ローラ９２を離間方向及び接近方向に移動する。第三移動部９３は、例えば、エアシリンダのようなアクチュエータによって構成される。第三ローラ９２は、第三移動部９３に回転自在に取り付けられる。例えば、第三移動部９３がエアシリンダである場合、第三ローラ９２は、伸縮するエアシリンダのロッドの先端部分に回転自在に取り付けられる。第三ローラ９２は、第三移動部９３に取り付けられ且つ第二搬送部２２によって搬送方向に搬送されている第二記録媒体１２Ｂに接した状態で、搬送方向に対応した方向に従動して回転する。吐出面７０と第二記録媒体１２ＢのギャップがギャップＧ５である場合、第二上流側離間部９１は、第三ローラ９２が第二記録媒体１２Ｂから離間した状態とされる。記録面１４を好適な状態に保つことが可能となる。
【００４４】
第二下流側離間部９４は、第二記録媒体１２Ｂの記録面１４の上方で且つ搬送方向における領域Ｒ２の所定の位置に設けられる。本実施形態では、第二下流側離間部９４は、短手方向に第一下流側離間部８５と並んだ状態で設けられている（図１参照）。第二下流側離間部９４は、第四ローラ９５と、第四移動部９６を備える。第四ローラ９５は、領域Ｒ２の所定の位置で、第五ローラ３０と第七ローラ３４の間を張力が作用した状態で搬送されている第二記録媒体１２Ｂに接する。詳細には、第四ローラ９５は、前述した位置で第二記録媒体１２Ｂの記録面１４に接する。第四移動部９６は、第四ローラ９５を離間方向及び接近方向に移動する。第四移動部９６は、例えば、エアシリンダのようなアクチュエータによって構成される。第四ローラ９５は、第四移動部９６に回転自在に取り付けられる。例えば、第四移動部９６がエアシリンダである場合、第四ローラ９５は、伸縮するエアシリンダのロッドの先端部分に回転自在に取り付けられる。第四ローラ９５は、第四移動部９６に取り付けられ且つ第二搬送部２２によって搬送方向に搬送されている第二記録媒体１２Ｂに接した状態で、搬送方向に対応した方向に従動して回転する。吐出面７０と第二記録媒体１２ＢのギャップがギャップＧ５である場合、第二下流側離間部９４は、第四ローラ９５が第二記録媒体１２Ｂから離間した状態とされる。記録面１４を好適な状態に保つことが可能となる。本実施形態では、第一移動部８４、第二移動部８７、第三移動部９３及び第四移動部９６は、エアシリンダによって構成されている。吐出面７０と記録媒体１２のギャップがギャップＧ５である場合、第一ローラ８３及び第二ローラ８６と第一記録媒体１２Ａのギャップと、第三ローラ９２及び第四ローラ９５と第二記録媒体１２Ｂのギャップは、共にギャップＧ７とする（図２参照  後述する図６において同じ）。
【００４５】
第一検出部１００は、第一記録媒体１２Ａに形成された第一繋ぎ目１６Ａを検出するセンサである。第一検出部１００を構成するセンサには、公知の接触式又は非接触式のセンサが採用される。第一検出部１００は、第一搬送部２１によって搬送される第一記録媒体１２Ａに対応して設けられる。第一検出部１００は、第一インクジェットヘッド６４Ｙより搬送方向の上流側に設けられる。本実施形態では、第一検出部１００は、領域Ｒ３の所定の位置に設けられている。領域Ｒ３は、第一上流側離間部８２より搬送方向の上流側であって、更に、第五ローラ３０より搬送方向の上流側の領域である（図１参照）。第一検出部１００が設けられる搬送方向の位置は、第一搬送部２１での搬送速度と、後述する第一離間動作によってギャップＧ５をギャップＧ６（図５参照）とするのに要する時間に基づき適宜設定される。
【００４６】
第二検出部１０２は、第二記録媒体１２Ｂに形成された第二繋ぎ目１６Ｂを検出するセンサである。第二検出部１０２は、第一検出部１００と同様のセンサとされる。第二検出部１０２は、第二搬送部２２によって搬送される第二記録媒体１２Ｂに対応して設けられる。第二検出部１０２は、第二インクジェットヘッド６６Ｙより搬送方向の上流側に設けられる。本実施形態では、第二検出部１０２は、第一検出部１００と同様、領域Ｒ３の所定の位置に設けられている。第二検出部１０２が設けられる搬送方向の位置は、第二搬送部２２での搬送速度と、後述する第二離間動作によってギャップＧ５をギャップＧ６とするのに要する時間に基づき適宜設定される。
【００４７】
制御装置１１０は、制御部１１２と、入出力部１１４を備える。制御部１１２は、インクジェット記録装置１０で実行される各種の処理のためのコンピュータプログラムを実行する。制御部１１２は、前述したコンピュータプログラムを実行する等して、インクジェット記録装置１０を制御する。制御部１１２は、各色用の第一インクジェットヘッド６４にそれぞれ形成されたノズル６８からの各色のインクの吐出を制御する。制御部１１２は、各色用の第二インクジェットヘッド６６にそれぞれ形成されたノズル６８からの各色のインクの吐出を制御する。第一インクジェットヘッド６４での各色のインクの吐出は、第一インクジェットヘッド６４で記録される画像に対応した第一画像データに従い制御される。第二インクジェットヘッド６６での各色のインクの吐出は、第二インクジェットヘッド６６で記録される画像に対応した第二画像データに従い制御される。
【００４８】
制御部１１２は、第一検出部１００による第一繋ぎ目１６Ａの検出と、第二検出部１０２による第二繋ぎ目１６Ｂの検出を制御する。第一検出部１００による第一繋ぎ目１６Ａの検出は、例えば、次のような方法によって判断される。第一検出部１００は、２点間の導通を測定する。具体的には、第一検出部１００は、締結材が２つの接点に接した場合に流れる電流を測定する。締結材は、第一記録媒体１２Ａを形成する部材同士を繋ぎ合わせる部材である。締結材としては、例えば、導電性を有する縫製用の糸が挙げられる（図３参照）。第一検出部１００で前述した電流が測定された場合、制御部１１２は、第一繋ぎ目１６Ａが検出されたと判断する。また、第一検出部１００は、記録面１４を撮影する。制御部１１２は、撮影された画像を解析する。制御部１１２は、解析結果に従い第一繋ぎ目１６Ａの検出を判断する。この他、第一検出部１００は、第一記録媒体１２Ａの厚み又は厚みの変化を測定する。制御部１１２は、第一検出部１００で測定された厚み又は厚みの変化が基準値以上となった場合、第一繋ぎ目１６Ａが検出されたと判断する。即ち、厚み又は厚みの変化が基準値以上となった第一記録媒体１２Ａの部分が第一繋ぎ目１６Ａとして検出される。第二繋ぎ目１６Ｂの検出は、前述した第一繋ぎ目１６Ａの場合と同様に行われる。第二繋ぎ目１６Ｂの検出に関する説明は、省略する。
【００４９】
制御部１１２は、離間動作を制御する。離間動作は、第一離間部８１による第一離間動作と、第二離間部９０による第二離間動作を含む。第一離間動作は、第一繋ぎ目１６Ａが検出された場合に第一離間部８１を介して実行される離間動作である。第二離間動作は、第二繋ぎ目１６Ｂが検出された場合に第二離間部９０を介して実行される離間動作である。離間動作については、後述する。
【００５０】
入出力部１１４は、制御装置１１０に所定の構成を接続する接続インターフェースである。第一検出部１００で検出された検出結果（信号）と、第二検出部１０２で検出された検出結果（信号）は、入出力部１１４を介して制御装置１１０に入力される。第一移動部８４及び第二移動部８７と、第三移動部９３及び第四移動部９６等への各制御信号は、入出力部１１４を介して出力される。図１及び図２等では配線の図示を省略しているが、第一インクジェットヘッド６４と第二インクジェットヘッド６６へのインクの吐出のための制御信号も、入出力部１１４を介して出力される。インクジェット記録装置１０に、パーソナルコンピュータのような情報処理装置を接続する場合、入出力部１１４は、情報処理装置との接続用の接続インターフェースを含む。上述した第一画像データと第二画像データは、情報処理装置からインクジェット記録装置１０に入力されるようにしてもよい。
【００５１】
上述したように、第一記録媒体１２Ａと第二記録媒体１２Ｂが単一の記録媒体１２である場合、インクジェット記録装置１０は、上述した構成の他、不図示の、供給部と、回収部を備える。供給部には、記録媒体１２がセットされる。供給部にセットされた記録媒体１２は、供給部から送出される。供給部は、公知のインクジェット記録装置が備える供給部と同様の構成を有する。供給部に関するこの他の説明は、省略する。供給部から送出された記録媒体１２は、第一記録媒体１２Ａとして第一搬送部２１によって搬送方向に搬送される。第一搬送部２１によって搬送される第一記録媒体１２Ａには、記録部６０のうちの第一インクジェットヘッド６４Ｙ，６４Ｍ，６４Ｃ，６４Ｋで表面１４Ａに画像が記録される。
【００５２】
その後、第一搬送部２１の第八ローラ３６を通過した第一記録媒体１２Ａは、第二搬送部２２の上流側に搬送される。この場合、搬送部２０は、第一搬送部２１の下流側と、第二搬送部２２の上流側を繋ぐ、不図示の第三搬送部を備える。第三搬送部は、記録媒体１２の表裏を反転するための反転機構を備える。反転機構による反転は、公知の反転技術を採用して行うことができる。反転機構に関するこの他の説明は、省略する。第三搬送部で記録媒体１２の表裏が反転され、裏面１４Ｂが記録面１４とされた第二記録媒体１２Ｂは、第二搬送部２２によって、再度、搬送方向に搬送される。第二搬送部２２によって搬送される第二記録媒体１２Ｂには、記録部６０のうちの第二インクジェットヘッド６６Ｙ，６６Ｍ，６６Ｃ，６６Ｋで裏面１４Ｂに画像が記録される。その後、第二搬送部２２の第八ローラ３６を通過した第二記録媒体１２Ｂは、回収部で回収される。回収部は、公知のインクジェット記録装置が備える回収部と同様の構成を有する。回収部に関するこの他の説明は、省略する。
【００５３】
第一記録媒体１２Ａと第二記録媒体１２Ｂがそれぞれ別個の記録媒体１２である場合、インクジェット記録装置１０は、上述した構成の他、不図示の、第一供給部と、第一回収部と、第二供給部と、第二回収部を備える。第一供給部及び第二回収部は、第一搬送部２１に対応した供給部及び回収部である。第二供給部及び第二回収部は、第二搬送部２２に対応した供給部及び回収部である。第一供給部には、第一記録媒体１２Ａがセットされる。第一供給部にセットされた第一記録媒体１２Ａは、第一供給部から送出される。第一供給部から送出された第一記録媒体１２Ａは、第一搬送部２１によって搬送方向に搬送される。第一搬送部２１によって搬送される第一記録媒体１２Ａには、記録部６０のうちの第一インクジェットヘッド６４Ｙ，６４Ｍ，６４Ｃ，６４Ｋで画像が記録される。その後、第一搬送部２１の第八ローラ３６を通過した第一記録媒体１２Ａは、第一回収部で回収される。第二供給部には、第二記録媒体１２Ｂがセットされる。第二供給部にセットされた第二記録媒体１２Ｂは、第二供給部から送出される。第二供給部から送出された第二記録媒体１２Ｂは、第二搬送部２２によって搬送方向に搬送される。第二搬送部２２によって搬送される第二記録媒体１２Ｂには、記録部６０のうちの第二インクジェットヘッド６６Ｙ，６６Ｍ，６６Ｃ，６６Ｋで画像が記録される。その後、第二搬送部２２の第八ローラ３６を通過した第二記録媒体１２Ｂは、第二回収部で回収される。
【００５４】
本実施形態では、第二搬送部２２と各色用の第二インクジェットヘッド６６等に基づき、第二記録媒体１２Ｂが搬送され、第二インクジェットヘッド６６Ｙ，６６Ｍ，６６Ｃ，６６Ｋによる吐出面７０を通過する形態に関する図２相当の図面を省略している。但し、この省略された第二記録媒体１２Ｂを対象とした形態は、図２に示す、第一記録媒体１２Ａを対象とした形態と同様となる。このことは、図５〜図７についても同じである。
【００５５】
＜離間動作＞
離間部８０を介して実行される離間動作について説明する。第一記録媒体１２Ａを対象とした第一離間部８１による第一離間動作（図２及び図５参照）と、第二記録媒体１２Ｂを対象とした第二離間部９０による第二離間動作は、独立して実行される。即ち、インクジェット記録装置１０では、第二繋ぎ目１６Ｂの検出の有無に関わらず、第一検出部１００によって第一繋ぎ目１６Ａが検出された場合、第一離間動作が実行される。インクジェット記録装置１０では、第一繋ぎ目１６Ａの検出の有無に関わらず、第二検出部１０２よって第二繋ぎ目１６Ｂが検出された場合、第二離間動作が実行される。
【００５６】
インクジェット記録装置１０では、第一繋ぎ目１６Ａと第二繋ぎ目１６Ｂの検出は、次のように開始される。即ち、第一搬送部２１が動作し第一記録媒体１２Ａの搬送が開始されると、第一検出部１００を介した第一繋ぎ目１６Ａの検出が開始される。第二搬送部２２が動作し第二記録媒体１２Ｂの搬送が開始されると、第二検出部１０２を介した第二繋ぎ目１６Ｂの検出が開始される。制御部１１２は、入出力部１１４を介して第一検出部１００での検出結果を取得する。制御部１１２は、取得された検出結果に従い、第一繋ぎ目１６Ａが検出されたか否かを判断する。制御部１１２は、第一検出部１００での検出結果の取得と、前述した判断を繰り返して実行する。制御部１１２は、入出力部１１４を介して第二検出部１０２での検出結果を取得する。制御部１１２は、取得された検出結果に従い、第二繋ぎ目１６Ｂが検出されたか否かを判断する。制御部１１２は、第二検出部１０２での検出結果の取得と、前述した判断を繰り返して実行する。
【００５７】
第一繋ぎ目１６Ａが検出されたと判断された場合、制御部１１２は、第一移動部８４と第二移動部８７に対する制御信号（下降信号）の出力を制御する。第一移動部８４と第二移動部８７では、この下降信号に応じて、ロッドが離間方向（鉛直方向の下側）に一定量だけ伸長する。これに伴い、図２に示すような状態で第一搬送部２１によって搬送されていた第一記録媒体１２Ａは、各ロッドがギャップＧ７に相当する距離だけ伸長した状態で、この伸長する各ロッドの先端に取り付けられた第一ローラ８３と第二ローラ８６に接する。更に、その後の各ロッドの伸長に伴い、第一記録媒体１２Ａは、第一ローラ８３と第二ローラ８６によって、離間方向に押圧される。第一記録媒体１２Ａは、図２に示す状態と比較し、第一ローラ８３と第二ローラ８６が第一記録媒体１２Ａに接した後の第一移動部８４と第二移動部８７の各ロッドの伸長量に応じた寸法だけ、吐出面７０に対向する長手方向の領域Ｒ４の部分が吐出面７０から離間した状態となる。即ち、吐出面７０と第一記録媒体１２Ａは、ギャップＧ５からギャップＧ６の状態となる（図５参照）。ギャップＧ５，Ｇ６の関係は、「ギャップＧ５＜ギャップＧ６」である。従って、ギャップ拡大量は、「ギャップＧ６−ギャップＧ５」である。
【００５８】
第二繋ぎ目１６Ｂが検出されたと判断された場合、制御部１１２は、第三移動部９３と第四移動部９６に対する制御信号（下降信号）の出力を制御する。第三移動部９３と第四移動部９６では、この下降信号に応じて、ロッドが離間方向（鉛直方向の下側）に一定量だけ伸長する。これに伴い、第二搬送部２２によって搬送されていた第二記録媒体１２Ｂは、各ロッドがギャップＧ７に相当する距離だけ伸長した状態で、この伸長する各ロッドの先端に取り付けられた第三ローラ９２と第四ローラ９５に接する。更に、その後の各ロッドの伸長に伴い、第二記録媒体１２Ｂは、第三ローラ９２と第四ローラ９５によって、離間方向に押圧される。第二記録媒体１２Ｂは、上述した第一記録媒体１２Ａの場合と同様、第三ローラ９２と第四ローラ９５が第二記録媒体１２Ｂに接した後の第三移動部９３と第四移動部９６の各ロッドの伸長量に応じた寸法だけ、吐出面７０に対向する長手方向の領域Ｒ４の部分が吐出面７０から離間した状態となる。即ち、吐出面７０と第二記録媒体１２Ｂは、ギャップＧ５からギャップＧ６の状態となる。
【００５９】
第一ローラ８３と第二ローラ８６は、搬送方向に搬送されている第一記録媒体１２Ａに接した状態で、搬送方向に対応した方向に従動して回転する（図５参照）。そのため、第一記録媒体１２Ａが第一ローラ８３と第二ローラ８６によって離間方向に押圧されていても、第一記録媒体１２Ａを搬送方向にスムーズに搬送することができる。第三ローラ９２と第四ローラ９５は、搬送方向に搬送されている第二記録媒体１２Ｂに接した状態で、搬送方向に対応した方向に従動して回転する。そのため、第二記録媒体１２Ｂが第三ローラ９２と第四ローラ９５によって離間方向に押圧されていても、第二記録媒体１２Ｂを搬送方向にスムーズに搬送することができる。
【００６０】
第一移動部８４と第二移動部８７に対する下降信号が出力された後、更に第一記録媒体１２Ａが搬送方向に搬送され、第一繋ぎ目１６Ａが第一インクジェットヘッド６４Ｙ，６４Ｍ，６４Ｃ，６４Ｋによる吐出面７０を通過したとする。この場合、制御部１１２は、第一移動部８４と第二移動部８７に対する制御信号（上昇信号）の出力を制御する。第一移動部８４と第二移動部８７では、この上昇信号に応じて、ロッドが接近方向（鉛直方向の上側）に一定量だけ収縮する。収縮量は、「ギャップ拡大量＋ギャップＧ７」である。これに伴い、図５に示すような状態で搬送されていた第一記録媒体１２Ａは、領域Ｒ４の部分が上昇し、第一繋ぎ目１６Ａが検出される前のギャップＧ５の状態（図２参照）となる。第一記録媒体１２Ａは、この状態で搬送方向に搬送される。
【００６１】
第一繋ぎ目１６Ａの通過に関し、制御部１１２は、例えば、第一繋ぎ目１６Ａを検出した後、予め定めた基準時間が経過した場合、第一繋ぎ目１６Ａは吐出面７０を通過したと判断する。第一搬送部２１による第一記録媒体１２Ａの搬送は、一定速度で行われる。そのため、第一搬送部２１での搬送速度と、第一検出部１００が設けられた位置（検出位置）から吐出面７０を通過した位置までの距離によって、通過に要する時間を予め求めることができる。制御部１１２は、このようにして求められた時間以上の時間を基準時間として、第一繋ぎ目１６Ａの通過を判断する。
【００６２】
この他、第一繋ぎ目１６Ａの通過は、次のように判断するようにしてもよい。即ち、領域Ｒ２に、新たな検出部を設ける。第一繋ぎ目１６Ａの通過は、この検出部によって第一繋ぎ目１６Ａが検出されたか否かに従い判断される。新たに設けられる検出部は、第一搬送部２１によって搬送される第一記録媒体１２Ａに対応して設けられる。この場合、新たな検出部は、例えば、搬送方向において記録部６０と第一下流側離間部８５の間、又は、第一下流側離間部８５と第七ローラ３４の間に適宜設けられる。新たな検出部は、例えば、第一検出部１００と同様のセンサとされる。
【００６３】
第三移動部９３と第四移動部９６に対する下降信号が出力された後、更に第二記録媒体１２Ｂが搬送方向に搬送され、第二繋ぎ目１６Ｂが第二インクジェットヘッド６６Ｙ，６６Ｍ，６６Ｃ，６６Ｋによる吐出面７０を通過したとする。この場合、制御部１１２は、第三移動部９３と第四移動部９６に対する制御信号（上昇信号）の出力を制御する。第三移動部９３と第四移動部９６では、この上昇信号に応じて、ロッドが接近方向（鉛直方向の上側）に一定量だけ収縮する。これに伴い、第二記録媒体１２Ｂは、上述した第一記録媒体１２Ａの場合と同様、領域Ｒ４の部分が上昇し、第二繋ぎ目１６Ｂが検出される前のギャップＧ５の状態となる。第二記録媒体１２Ｂは、この状態で搬送方向に搬送される。
【００６４】
第二繋ぎ目１６Ｂの通過は、例えば、第一繋ぎ目１６Ａの場合と同様、第二繋ぎ目１６Ｂを検出した後、予め定めた基準時間が経過したか否かに従い判断される。基準時間は、第二搬送部２２での搬送速度と、第二検出部１０２が設けられた位置（検出位置）から吐出面７０を通過した位置までの距離によって求められた時間以上の時間とされる。この他、第二繋ぎ目１６Ｂの通過は、次のように判断するようにしてもよい。即ち、領域Ｒ２に、新たな検出部を設ける。第二繋ぎ目１６Ｂの通過は、この検出部によって第二繋ぎ目１６Ｂが検出されたか否かに従い判断される。新たに設けられる検出部は、第二搬送部２２によって搬送される第二記録媒体１２Ｂに対応して設けられる。この場合、新たな検出部は、例えば、搬送方向において記録部６０と第二下流側離間部９４の間、又は、第二下流側離間部９４と第七ローラ３４の間に適宜設けられる。新たな検出部は、例えば、第二検出部１０２と同様のセンサとされる。
【００６５】
制御部１１２は、第一移動部８４と第二移動部８７に対する下降信号が出力された後、これらに対する上昇信号が出力されるまでの間、第一画像データに従ったインクの吐出を制御しない。この間、各色のインクが、第一インクジェットヘッド６４Ｙ，６４Ｍ，６４Ｃ，６４Ｋにそれぞれ形成された全てのノズル６８から、ギャップＧ６となった第一記録媒体１２Ａに対して強制的に排出されるようにしてもよい。制御部１１２は、第三移動部９３と第四移動部９６に対する下降信号が出力された後、これらに対する上昇信号が出力されるまでの間、第二画像データに従ったインクの吐出を制御しない。この間、各色のインクが、第二インクジェットヘッド６６Ｙ，６６Ｍ，６６Ｃ，６６Ｋにそれぞれ形成された全てのノズル６８から、ギャップＧ６となった第二記録媒体１２Ｂに対して強制的に排出されるようにしてもよい。
【００６６】
第一繋ぎ目１６Ａが吐出面７０を通過し、吐出面７０と第一記録媒体１２ＡのギャップがギャップＧ５となったとする。この場合、制御部１１２は、第一画像データに従ったインクの吐出を再度制御する。第二繋ぎ目１６Ｂが吐出面７０を通過し、吐出面７０と第二記録媒体１２ＢのギャップがギャップＧ５となったとする。この場合、制御部１１２は、第二画像データに従ったインクの吐出を再度制御する。これによって、第一記録媒体１２Ａへの第一画像データに対応した画像の記録と、第二記録媒体１２Ｂへの第二画像データに対応した画像の記録が再開される。
【００６７】
画像の記録を終了した後、回収された長尺状の記録媒体１２は、繋ぎ目１６の部分で分離される。長尺状の記録媒体１２は、最終的には、記録媒体１２を形成する個々の部材とされる。繋ぎ目１６を設けた長尺状の記録媒体１２とする理由は、画像の記録を連続的に実行するためである。仮に、繋ぎ目１６に画像が記録されたとしても、繋ぎ目１６の画像は、画像記録時の基準となるギャップＧ５より広いギャップＧ６で記録される。そのため、繋ぎ目１６の画像は、記録品質が低下した画像となる。分離後の部材において、繋ぎ目１６であった両端部分は利用されない。繋ぎ目１６の画像は、利用されない不要な画像となる。例えば、上述したように、第一画像データ及び第二画像データに従ったインクの吐出を停止させるような構成とする。このような構成によれば、第一繋ぎ目１６Ａを含む第一記録媒体１２Ａの部分と、第二繋ぎ目１６Ｂを含む第二記録媒体１２Ｂの部分に、不要な画像が記録されることを防止することができる。そして、利用されることのない記録媒体１２の部分を利用して、インクを強制的に排出する構成を採用する。これにより、ノズル６８の詰まりを防止することができる。
【００６８】
＜本実施形態の効果＞
本実施形態によれば、次のような効果を得ることができる。
【００６９】
（１）インクジェット記録装置１０では、図１に示すように、離間部８０が設けられる。記録媒体１２は、第五ローラ３０と第七ローラ３４の間を架け渡された状態で搬送部２０によって搬送方向に搬送される。インクジェット記録装置１０では、領域Ｒ３の所定の位置で繋ぎ目１６が検出される。繋ぎ目１６が検出された場合、離間部８０が適宜動作する。これに伴い、記録媒体１２は、吐出面７０と記録媒体１２のギャップがギャップＧ５からギャップＧ６となるように、領域Ｒ１と領域Ｒ２の２箇所で離間方向に移動される（図５参照）。そのため、記録媒体１２において吐出面７０に対向する部分を離間方向に移動させることができる。インクジェット記録装置１０で、厚みが厚い繋ぎ目１６が吐出面７０に接触するといった事態の発生を抑制することができる。
【００７０】
（２）インクジェット記録装置１０では、図１に示すように、第一搬送部２１と第二搬送部２２が設けられる。記録部６０は、第一搬送部２１によって搬送される第一記録媒体１２Ａに対応したライン型の第一インクジェットヘッド６４と、第二搬送部２２によって搬送される第二記録媒体１２Ｂに対応したライン型の第二インクジェットヘッド６６を備える（図１参照）。その上で、インクジェット記録装置１０では、第一記録媒体１２Ａに対応して第一離間部８１が設けられ、第二記録媒体１２Ｂに対応して第二離間部９０が設けられる（図１参照）。そのため、第一記録媒体１２Ａと第二記録媒体１２Ｂを対象として、効率よく画像を記録することができる。第一記録媒体１２Ａへの画像の記録に関する制御と、第一離間部８１による第一離間動作を対応させることができる。第二記録媒体１２Ｂへの画像の記録に関する制御と、第二離間部９０による第二離間動作を対応させることができる。
【００７１】
（３）第一離間部８１において、第一上流側離間部８２は第一ローラ８３と第一移動部８４を備え、第一下流側離間部８５は第二ローラ８６と第二移動部８７を備える（図１等参照）。第二離間部９０において、第二上流側離間部９１は第三ローラ９２と第三移動部９３を備え、第二下流側離間部９４は第四ローラ９５と第四移動部９６を備える（図１参照）。第一ローラ８３、第二ローラ８６、第三ローラ９２及び第四ローラ９５は、第一移動部８４、第二移動部８７、第三移動部９３及び第四移動部９６にそれぞれ回転自在に取り付けられる。そのため、第一記録媒体１２Ａを第一インクジェットヘッド６４Ｙ，６４Ｍ，６４Ｃ，６４Ｋによる吐出面７０から離間させつつ、第一搬送部２１で第一記録媒体１２Ａを搬送方向にスムーズに搬送することができる。第二記録媒体１２Ｂを第二インクジェットヘッド６６Ｙ，６６Ｍ，６６Ｃ，６６Ｋによる吐出面７０から離間させつつ、第二搬送部２２で第二記録媒体１２Ｂを搬送方向にスムーズに搬送することができる。
【００７２】
＜変形例＞
本実施形態は、次のようにすることもできる。
【００７３】
（１）上記では、搬送部２０が第一搬送部２１と第二搬送部２２を備え、記録部６０が第一インクジェットヘッド６４と第二インクジェットヘッド６６を備えるインクジェット記録装置１０を例に説明した（図１及び図４参照）。インクジェット記録装置は、第二搬送部２２と第二インクジェットヘッド６６を省略した構成としてもよい。この場合、第二離間部９０も省略される。搬送部は、第一搬送部２１によって構成される。記録部は、第一インクジェットヘッド６４によって構成される。離間部は、第一離間部８１によって構成される。
【００７４】
（２）上記では、第一検出部１００での検出結果に従い、制御部１１２が第一離間部８１を制御し、第一記録媒体１２Ａを対象とした第一離間動作が実行される構成を例に説明した（図２及び図５参照）。第二検出部１０２での検出結果に従い、制御部１１２が第二離間部９０を制御し、第二記録媒体１２Ｂを対象とした第二離間動作が実行される構成を例に説明した。このような離間動作は、次のようにして実行されるようにしてもよい。即ち、制御装置１１０は、各離間動作のための専用のハードウェア回路を備える。前述した各離間動作は、第一検出部１００と第二検出部１０２での各検出結果が、このハードウェア回路に入力される等して実行されるようにしてもよい。
【００７５】
（３）上記では、第一搬送部２１による第一記録媒体１２Ａの搬送が、第五ローラ３０と第七ローラ３４の間を架け渡された状態で行われる構成を例に説明した（図２及び図５参照）。この構成では、第一記録媒体１２Ａは、第五ローラ３０と第七ローラ３４の間で記録面１４とは反対側の面の側から支持されない。第二搬送部２２での第二記録媒体１２Ｂの搬送が、第五ローラ３０と第七ローラ３４の間を架け渡された状態で行われる構成を例に説明した。この構成では、第二記録媒体１２Ｂは、第五ローラ３０と第七ローラ３４の間で記録面１４とは反対側の面の側から支持されない。
【００７６】
第五ローラ３０と第七ローラ３４の間を架け渡された状態で第一搬送部２１によって搬送されている第一記録媒体１２Ａを、第五ローラ３０と第七ローラ３４の間の所定の位置で記録面１４とは反対側の面の側から支持するようにしてもよい。このような構成について、図６及び図７を参照して説明する。この説明において、前述した反対側の面は、裏面１４Ｂであるとする。即ち、第五ローラ３０と第七ローラ３４の間を搬送されている第一記録媒体１２Ａは、この間の所定の位置で裏面１４Ｂの側から支持される。この場合、インクジェット記録装置１０は、上述した各部の他、支持部１２０を備える。支持部１２０は、第一記録媒体１２Ａを裏面１４Ｂの側から支持する。図６に示す例では、インクジェット記録装置１０は、第一記録媒体１２Ａに対して、３つの支持部１２０を備える。支持部１２０の数及び配置は、諸条件を考慮し、適宜決定される。
【００７７】
支持部１２０は、上述した第一上流側離間部８２及び第一下流側離間部８５と同様の構成を備える。即ち、支持部１２０は、第十ローラ１２２と、第五移動部１２４を備える。第十ローラ１２２は、第五ローラ３０と第七ローラ３４の間の所定の位置で、この間を張力が作用した状態で搬送されている第一記録媒体１２Ａに接する。詳細には、第十ローラ１２２は、前述した位置で第一記録媒体１２Ａの裏面１４Ｂに接する。第五移動部１２４は、第十ローラ１２２を離間方向及び接近方向に移動する。離間方向及び接近方向は、上記同様である。即ち、離間方向は、鉛直方向を下側に向かう方向であり、接近方向は、鉛直方向を上側に向かう方向である。第五移動部１２４は、例えば、エアシリンダのようなアクチュエータによって構成される。第十ローラ１２２は、第五移動部１２４に回転自在に取り付けられる。例えば、第五移動部１２４がエアシリンダである場合、第十ローラ１２２は、伸縮するエアシリンダのロッドの先端部分に回転自在に取り付けられる。第十ローラ１２２は、第五移動部１２４に取り付けられ且つ第一搬送部２１によって搬送方向に搬送されている第一記録媒体１２Ａに接した状態で、搬送方向に対応した方向に従動して回転する。
【００７８】
第一繋ぎ目１６Ａの検出に伴いインクジェット記録装置１０で第一離間動作が実行されるとする。この場合、第五移動部１２４は、第一ローラ８３と第二ローラ８６の離間方向への移動に対応して、第十ローラ１２２を離間方向に移動する（図７参照）。即ち、第五移動部１２４では、第一移動部８４と第二移動部８７の各ロッドの伸長に対応した量だけ、ロッドが収縮する。前述した第一移動部８４と第二移動部８７の各ロッドの伸長は、第一ローラ８３と第二ローラ８６が第一記録媒体１２Ａに接した後の伸長である。第五移動部１２４でのロッドの収縮量は、「ギャップＧ６−ギャップＧ５」である。
【００７９】
第一繋ぎ目１６Ａが第一インクジェットヘッド６４Ｙ，６４Ｍ，６４Ｃ，６４Ｋによる吐出面７０を通過したとする。この場合、第五移動部１２４は、第一ローラ８３と第二ローラ８６の接近方向への移動に対応して、第十ローラ１２２を接近方向に移動する。即ち、第五移動部１２４では、第一移動部８４と第二移動部８７の各ロッドの収縮に対応した量だけ、ロッドが伸長する。これによって、第一記録媒体１２Ａは、第一繋ぎ目１６Ａが検出される前と同じ状態（図６参照）で搬送方向に搬送される。前述した第一ローラ８３と第二ローラ８６の各ロッドの収縮は、第一ローラ８３と第二ローラ８６が第一記録媒体１２Ａから離間するまでの収縮である。
【００８０】
第一離間動作において、制御部１１２は、次のような制御を行う。即ち、制御部１１２は、第一移動部８４と第二移動部８７に下降信号を出力するタイミングで、第五移動部１２４に対する下降信号の出力を制御する。制御部１１２は、第一移動部８４と第二移動部８７に上昇信号を出力するタイミングで、第五移動部１２４に対する上昇信号の出力を制御する。図６に示すような支持部１２０は、第五ローラ３０と第七ローラ３４の間を架け渡された状態で第二搬送部２２によって搬送されている第二記録媒体１２Ｂに対して設けるようにしてもよい。この場合も、支持部１２０は、例えば、第二搬送部２２の第五ローラ３０と第七ローラ３４の間で、図６に示すように設けられる。そして、インクジェット記録装置１０で第二離間動作が実行される場合、上述した第一離間動作の場合と同様、支持部１２０は、第三移動部９３と第四移動部９６の各ロッドの伸縮に対応して動作する。第二記録媒体１２Ｂに対する支持部１２０に関するこの他の説明は、省略する。
【００８１】
（４）上記では、第一離間動作が第一繋ぎ目１６Ａに基づき実行される構成を例に説明した（図２及び図５参照）。この構成において、第一繋ぎ目１６Ａは、第一搬送部２１によって搬送されている第一記録媒体１２Ａのうち、吐出面７０と第一記録媒体１２Ａのギャップが予め定めた基準となるギャップＧ５より狭くなる第一記録媒体１２Ａの部分である。第二離間動作が第二繋ぎ目１６Ｂに基づき実行される構成を例に説明した。この構成において、第二繋ぎ目１６Ｂは、第二搬送部２２によって搬送されている第二記録媒体１２Ｂのうち、吐出面７０と第二記録媒体１２ＢのギャップがギャップＧ５より狭くなる第二記録媒体１２Ｂの部分である。離間動作は、繋ぎ目１６とは異なる記録媒体１２の部分によって、吐出面７０と記録媒体１２のギャップがギャップＧ５より狭くなる場合についても実行されるようにしてもよい。ギャップＧ５より狭くなる記録媒体１２の部分としては、例えば、捩れ等が生じた記録媒体１２の部分又は記録面１４上に付着した異物（埃等）が挙げられる。この他、記録媒体１２を形成する部材が布帛である場合、毛羽立ちも前述した部分となり得る。
【００８２】
第一検出部１００は、上記同様の位置及び方法で、第一搬送部２１によって搬送されている第一記録媒体１２Ａを測定等する。第二検出部１０２は、上記同様の位置及び方法で、第二搬送部２２によって搬送されている第二記録媒体１２Ｂを測定等する。制御部１１２は、第一検出部１００での測定等に基づき、ギャップＧ５が狭くなる第一記録媒体１２Ａの部分が検出されたか否かを判断する。前述した第一記録媒体１２Ａの部分が検出されたと判断された場合、制御部１１２は、第一離間部８１を制御し、第一離間動作を実行する。制御部１１２は、第二検出部１０２での測定等に基づき、ギャップＧ５が狭くなる第二記録媒体１２Ｂの部分が検出されたか否かを判断する。前述した第二記録媒体１２Ｂの部分が検出されたと判断された場合、制御部１１２は、第二離間部９０を制御し、第二離間動作を実行する。これにより、上記同様の効果を得ることができる。
【００８３】
（５）上記では、第一搬送部２１において、第九ローラ３８を介して第一記録媒体１２Ａを一定の力で第七ローラ３４に押圧する構成を例に説明した（図２参照）。この構成では、第三モータ５４の回転が制御され、これに伴い、第九ローラ３８の鉛直方向の位置が制御される。第二搬送部２２において、第九ローラ３８を介して第二記録媒体１２Ｂを一定の力で第七ローラ３４に押圧する構成を例に説明した。この構成では、第三モータ５４の回転が制御され、これに伴い、第九ローラ３８の鉛直方向の位置が制御される。第一搬送部２１及び第二搬送部２２において、第七ローラ３４に対する記録媒体１２の押圧は、例えば、第五ローラ３０に対する記録媒体１２の場合と同様に行うようにしてもよい。即ち、第六ローラ３２に相当するローラを、第七ローラ３４の上側で第七ローラ３４の周側面に対向させて設け、この新たなローラを介して行うようにしてもよい。この新たなローラは、第七ローラ３４の側（鉛直方向の下側）に付勢される。付勢された新たなローラは、記録媒体１２を第七ローラ３４の周側面に押圧する。新たなローラは、第六ローラ３２と同様、記録面１４に接した状態で、搬送方向に対応した方向に従動して回転する。
【００８４】
第一搬送部２１では、第一記録媒体１２Ａと第七ローラ３４の周側面の間の滑りが抑制される。そのため、第一搬送部２１では、第一記録媒体１２Ａに張力を作用させた状態で、第一記録媒体１２Ａを搬送方向に精度よく搬送することができる。第二搬送部２２では、第二記録媒体１２Ｂと第七ローラ３４の周側面の間の滑りが抑制される。そのため、第二搬送部２２では、第二記録媒体１２Ｂに張力を作用させた状態で、第二記録媒体１２Ｂを搬送方向に精度よく搬送することができる。第七ローラ３４に対して上述した新たなローラを設ける場合、第一搬送部２１及び第二搬送部２２では、第八ローラ３６、第九ローラ３８、第三回転軸４４及び第三モータ５４等は、省略するようにしてもよい。
【００８５】
（６）上記では、吐出面７０と第一記録媒体１２ＡのギャップがギャップＧ５である場合、第一上流側離間部８２及び第一下流側離間部８５では、第一ローラ８３及び第二ローラ８６が第一記録媒体１２ＡからギャップＧ７だけ離間した構成を例に説明した（図２参照）。吐出面７０と第一記録媒体１２ＡのギャップがギャップＧ５である場合、第一上流側離間部８２及び第一下流側離間部８５は、第一ローラ８３及び第二ローラ８６が第一記録媒体１２Ａにそれぞれ接した状態となるようにしてもよい。第一離間動作における第一移動部８４及び第二移動部８７の各ロッドの伸縮量をギャップＧ７に対応した分だけ少なくすることが可能となる。これに伴い、第一離間動作に要する時間を短縮することができる。この他、第一上流側離間部８２及び第一下流側離間部８５は、第一ローラ８３及び第二ローラ８６のうちの何れか一方（例えば、第一ローラ８３）が第一記録媒体１２Ａに接し、他方（例えば、第二ローラ８６）が第一記録媒体１２Ａから離間した状態となるようにしてもよい。
【００８６】
吐出面７０と第二記録媒体１２ＢのギャップがギャップＧ５である場合、第二上流側離間部９１及び第二下流側離間部９４では、第三ローラ９２及び第四ローラ９５が第二記録媒体１２ＢからギャップＧ７だけ離間した構成を例に説明した。吐出面７０と第二記録媒体１２ＢのギャップがギャップＧ５である場合、第二上流側離間部９１及び第二下流側離間部９４は、第三ローラ９２及び第四ローラ９５が第二記録媒体１２Ｂにそれぞれ接した状態となるようにしてもよい。第二離間動作における第三移動部９３及び第四移動部９６の各ロッドの伸縮量をギャップＧ７に対応した分だけ少なくすることが可能となる。これに伴い、第二離間動作に要する時間を短縮することができる。この他、第二上流側離間部９１及び第二下流側離間部９４は、第三ローラ９２及び第四ローラ９５のうちの何れか一方（例えば、第三ローラ９２）が第二記録媒体１２Ｂに接し、他方（例えば、第四ローラ９５）が第二記録媒体１２Ｂから離間した状態となるようにしてもよい。
【符号の説明】
【００８７】
１０  インクジェット記録装置
１２  記録媒体、  １２Ａ  第一記録媒体、  １２Ｂ  第二記録媒体
１４  記録面、  １４Ａ  表面、  １４Ｂ  裏面
１６  繋ぎ目、  １６Ａ  第一繋ぎ目、  １６Ｂ  第二繋ぎ目
２０  搬送部、  ２１  第一搬送部、  ２２  第二搬送部
３０  第五ローラ、  ３２  第六ローラ
３４  第七ローラ、  ３６  第八ローラ、  ３８  第九ローラ
４０  第一回転軸、  ４２  第二回転軸、  ４４  第三回転軸
５０  第一モータ、  ５２  第二モータ、  ５４  第三モータ
６０  記録部
６４，６４Ｙ，６４Ｍ，６４Ｃ，６４Ｋ  第一インクジェットヘッド
６６，６６Ｙ，６６Ｍ，６６Ｃ，６６Ｋ  第二インクジェットヘッド
６８  ノズル、  ７０  吐出面、  ７２  キャリッジ
８０  離間部
８１  第一離間部
８２  第一上流側離間部、  ８３  第一ローラ、  ８４  第一移動部
８５  第一下流側離間部、  ８６  第二ローラ、  ８７  第二移動部
９０  第二離間部
９１  第二上流側離間部、  ９２  第三ローラ、  ９３  第三移動部
９４  第二下流側離間部、  ９５  第四ローラ、  ９６  第四移動部
１００  第一検出部、  １０２  第二検出部
１１０  制御装置、  １１２  制御部、  １１４  入出力部
１２０  支持部、  １２２  第十ローラ、  １２４第五移動部
Ｇ５，Ｇ６，Ｇ７  ギャップ
Ｈ  範囲、  Ｒ１，Ｒ２，Ｒ３，Ｒ４  領域、  ＷＡ，ＷＢ  幅
【図１】
2014156886.tif 000003
【図２】
2014156886.tif 000004
【図３】
2014156886.tif 000005
【図４】
2014156886.tif 000006
【図５】
2014156886.tif 000007
【図６】
2014156886.tif 000008
【図７】
2014156886.tif 000009
【国際調査報告】
2014156886.tif 000010
2014156886.tif 000011
2014156886.tif 000012
2014156886.tif 000013